(57)【要約】      （修正有）【課題】電力増幅器供給電圧を、１０ボルト（Ｖ）から１Ｖまでの２０ｄＢ窓にわたる平均出力電力に追従させる。【解決手段】ブースト変換器とチャージポンプとを有する電圧供給システム６００である。電圧供給システムは、入力ノード６９１において入力電圧Ｖｂａｔｔを受けて当該入力電圧以上の出力電圧Ｖｏｕｔを発生させるべく制御可能なブースト変換器６０４を含む。電圧供給システムは、入力ノードにおいて入力電圧を受けて当該入力電圧未満の出力電圧を発生させるべく制御可能なチャージポンプを含む。電圧供給システムはさらに、制御信号を受信して当該制御信号に基づき出力電圧を出力ノードに発生させるようにブースト変換器又はチャージポンプを制御するべく構成された制御器を含む。【選択図】図６
2018011506.tif 000002
【特許請求の範囲】
【請求項１】
電圧供給システムであって、
入力ノードにおいて入力電圧を受けて前記入力電圧以上の出力電圧を発生させるべく制御可能なブースト変換器と、
前記入力ノードにおいて前記入力電圧を受けて前記入力電圧未満の出力電圧を発生させるべく制御可能なチャージポンプと、
制御信号を受信して前記制御信号に基づき前記出力電圧を出力ノードに発生させるように前記ブースト変換器又は前記チャージポンプを制御するべく構成された制御器と
を含む電圧供給システム。
【請求項２】
前記制御器は、第１モードを示す前記制御信号に応答して、前記入力電圧未満の前記出力電圧を発生させるように前記チャージポンプを制御するべく構成される請求項１の電圧供給システム。
【請求項３】
前記制御器は、前記第１モードを示す前記制御信号に応答して、前記入力電圧のほぼ半分の前記出力電圧を発生させるように前記チャージポンプを制御するべく構成される請求項２の電圧供給システム。
【請求項４】
前記制御器は、前記第１モードを示す前記制御信号に応答して、前記出力電圧を前記出力ノードへと通過させるようにチャージポンプバイパス回路を制御するべく構成される請求項２の電圧供給システム。
【請求項５】
前記制御器は、第２モードを示す制御信号に応答して、前記入力電圧に等しい前記出力電圧を発生させるように前記ブースト変換器を制御するべく構成される請求項１の電圧供給システム。
【請求項６】
前記制御器は、前記第２モードを示す前記制御信号に応答して、前記入力電圧を前記出力電圧として前記出力ノードへと通過させるように前記ブースト変換器の一以上のスイッチを動作させるべく構成される請求項５の電圧供給システム。
【請求項７】
前記制御器は、第３モードを示す前記制御信号に応答して、前記入力電圧よりも大きな前記出力電圧を発生させるように前記ブースト変換器を制御するべく構成される請求項１の電圧供給システム。
【請求項８】
前記制御器は、前記第３モードを示す前記制御信号に応答して、前記入力電圧をブーストして前記出力電圧を前記出力ノードに発生させるように前記ブースト変換器の一以上のスイッチを周期的に動作させるべく構成される請求項７の電圧供給システム。
【請求項９】
前記ブースト変換器はインダクタ及び一以上のスイッチを含む請求項１の電圧供給システム。
【請求項１０】
前記一以上のスイッチは、
前記インダクタ及び接地電圧間に結合された第１スイッチと、
前記インダクタ及び前記出力ノード間に結合された第２スイッチと
を含む請求項９の電圧供給システム。
【請求項１１】
前記ブースト変換器は、前記インダクタ及び前記入力ノード間に結合されたスイッチを含まない請求項９の電圧供給システム。
【請求項１２】
前記制御器は、第２モードを示す制御信号に応答して、前記入力電圧を前記出力電圧として前記出力ノードへと通過させるように前記第１スイッチを開かつ前記第２スイッチを閉にするべく構成される請求項１０の電圧供給システム。
【請求項１３】
前記制御器は、第３モードを示す前記制御信号に応答して、前記入力電圧をブーストして前記出力電圧を前記出力ノードに発生させるように前記第１スイッチ及び第２スイッチを周期的に開閉するべく構成される請求項１０の電圧供給システム。
【請求項１４】
前記チャージポンプは一以上のキャパシタを含む請求項１の電圧供給システム。
【請求項１５】
前記チャージポンプはインダクタを含まない請求項１４の電圧供給システム。
【請求項１６】
前記入力電圧は電池電圧に実質的に等しい請求項１の電圧供給システム。
【請求項１７】
無線周波数（ＲＦ）モジュールであって、
複数のコンポーネントを受容するべく構成されたパッケージング基板と、
前記パッケージング基板に実装された電圧供給システムと
を含み、
前記電圧供給システムは、
入力ノードにおいて入力電圧を受けて前記入力電圧以上の出力電圧を発生させるべく制御可能なブースト変換器と、
前記入力ノードにおいて前記入力電圧を受けて前記入力電圧未満の出力電圧を発生させるべく制御可能なチャージポンプと、
受信された制御信号に基づき前記出力電圧を出力ノードに発生させるように前記ブースト変換器又は前記チャージポンプを制御するべく構成された制御器と
を含むＲＦモジュール。
【請求項１８】
前記ＲＦモジュールはフロントエンドモジュール（ＦＥＭ）である請求項１７のＲＦモジュール。
【請求項１９】
前記電圧供給システムは、
供給デバイスと、
前記供給デバイスの外部において前記供給デバイスに電気的に接続された一以上のパッシブデバイスと
を含む請求項１７ＲＦモジュール。
【請求項２０】
無線デバイスであって、
無線周波数（ＲＦ）信号を発生させるべく構成された送受信器と、
前記送受信器と通信するフロントエンドモジュール（ＦＥＭ）と、
前記ＦＥＭと通信するアンテナと
を含み、
前記ＦＥＭは、
複数のコンポーネントを受容するべく構成されたパッケージング基板と、
前記パッケージング基板に実装されて前記ＲＦ信号を増幅するべく構成された電力増幅システムと
を含み、
前記電力増幅システムは電圧供給システムを含み、
前記電圧供給システムは、
入力ノードにおいて入力電圧を受けて前記入力電圧以上の出力電圧を発生させるべく制御可能なブースト変換器と、
前記入力ノードにおいて前記入力電圧を受けて前記入力電圧未満の出力電圧を発生させるべく制御可能なチャージポンプと、
受信された制御信号に基づき前記出力電圧を出力ノードに発生させるように前記ブースト変換器又は前記チャージポンプを制御するべく構成された制御器と
を含み、
前記アンテナは、増幅されたＲＦ信号を送信するべく構成される無線デバイス。
【発明の詳細な説明】
【技術分野】
【０００１】
本開示は一般に、電圧供給システムに関する。
【０００２】
関連出願の相互参照
本願は、２０１５年２月１５日出願の「多重モード電力管理に関するデバイスと方法」との名称の米国仮出願第６２／１１６，４５８号の優先権を主張する。その開示は全体が、ここに明示的に参照として組み入れられる。
【背景技術】
【０００３】
電力増幅システムは、（電池電圧から引き出された）供給電圧を与える電圧供給システムによって電力を受けることができる。供給電圧は、電力増幅器が使用する電力量を低減するべく変えることができる。理想的には、電力増幅器供給電圧は、例えば、大まかには１０ボルト（Ｖ）から１Ｖまでの２０ｄＢ窓にわたる平均出力電力に追従するべきである。ほぼ３．８Ｖの公称電池電圧（Ｖｂａｔｔ）であれば、Ｖｂａｔｔよりも大きな供給電圧を発生させるべくブースト機能を利用することができ、Ｖｂａｔｔ未満の供給電圧を発生させるべくバック（ｂｕｃｋ）機能を利用することができる。
【発明の概要】
【０００４】
いくつかの実装によれば、本開示は電圧供給システムに関する。電圧供給システムは、入力ノードにおいて入力電圧を受けて当該入力電圧以上の出力電圧を発生させるべく制御可能なブースト変換器を含む。電圧供給システムは、入力ノードにおいて入力電圧を受けて当該入力電圧未満の出力電圧を発生させるべく制御可能なチャージポンプを含む。電圧供給システムは、制御信号を受信して当該制御信号に基づき出力電圧を出力ノードに発生させるようにブースト変換器又はチャージポンプを制御するべく構成された制御器を含む。
【０００５】
いくつかの実施形態において、制御器は、第１モードを示す制御信号に応答して、入力電圧未満の出力電圧を発生させるようにチャージポンプを制御するべく構成することができる。いくつかの実施形態において、制御器は、第１モードを示す制御信号に応答して、入力電圧のほぼ半分の出力電圧を発生させるようにチャージポンプを制御するべく構成することができる。いくつかの実施形態において、制御器は、第１モードを示す制御信号に応答して、出力電圧を出力ノードへと通過させるようにチャージポンプバイパス回路を制御するべく構成することができる。
【０００６】
いくつかの実施形態において、制御器は、第２モードを示す制御信号に応答して、入力電圧に等しい出力電圧を発生させるようにブースト変換器を制御するべく構成することができる。いくつかの実施形態において、制御器は、第２モードを示す制御信号に応答して、入力電圧を出力電圧として出力ノードへと通過させるようにブースト変換器の一以上のスイッチを動作させるべく構成することができる。
【０００７】
いくつかの実施形態において、制御器は、第３モードを示す制御信号に応答して、入力電圧よりも大きい出力電圧を発生させるようにブースト変換器を制御するべく構成することができる。いくつかの実施形態において、制御器は、第３モードを示す制御信号に応答して、入力電圧をブーストして出力電圧を出力ノードに発生させるようにブースト変換器の一以上のスイッチを周期的に動作させるべく構成することができる。
【０００８】
いくつかの実施形態において、ブースト変換器は、インダクタ及び一以上のスイッチを含み得る。いくつかの実施形態において、一以上のスイッチは、インダクタ及び接地電圧間に結合された第１スイッチと、インダクタ及び出力ノード間に結合された第２スイッチとを含み得る。いくつかの実施形態において、ブースト変換器は、インダクタ及び入力ノード間に結合されたスイッチを含まない。
【０００９】
いくつかの実施形態において、制御器は、第２モードを示す制御信号に応答して、入力電圧を出力電圧として出力ノードへと通過させるように第１スイッチを開かつ第２スイッチを閉にするべく構成することができる。いくつかの実施形態において、制御器は、第３モードを示す制御信号に応答して、入力電圧をブーストして出力電圧を出力ノードに発生させるように第１スイッチ及び第２スイッチを周期的に開閉するべく構成することができる。
【００１０】
いくつかの実施形態において、チャージポンプは一以上のキャパシタを含み得る。いくつかの実施形態において、チャージポンプはインダクタを含まない。
【００１１】
いくつかの実施形態において、入力電圧は、電池電圧に実質的に等しくすることができる。
【００１２】
いくつかの実装において、本開示は、複数のコンポーネントを受容するべく構成されたパッケージング基板を含む無線周波数（ＲＦ）モジュールに関する。ＲＦモジュールは、パッケージング基板に実装された電圧供給システムを含む。電圧供給システムは、入力ノードにおいて入力電圧を受けて当該入力電圧以上の出力電圧を発生させるべく制御可能なブースト変換器を含む。電圧供給システムは、入力ノードにおいて入力電圧を受けて当該入力電圧未満の出力電圧を発生させるべく制御可能なチャージポンプを含む。電圧供給システムは、受信した制御信号に基づき出力電圧を出力ノードに発生させるようにブースト変換器又はチャージポンプを制御するべく構成された制御器を含む。
【００１３】
いくつかの実施形態において、ＲＦモジュールは、フロントエンドモジュール（ＦＥＭ）とすることができる。
【００１４】
いくつかの実施形態において、電圧供給システムは、供給デバイスと、当該供給デバイスの外部において当該供給デバイスに電気的に接続された一以上のパッシブデバイスとを含み得る。
【００１５】
いくつかの実装において、本開示は、無線周波数（ＲＦ）信号を発生させるべく構成された送受信器を含む無線デバイスに関する。無線デバイスは、送受信器と通信するフロントエンドモジュール（ＦＥＭ）を含む。ＦＥＭは、複数のコンポーネントを受容するべく構成されたパッケージング基板を含む。ＦＥＭは、パッケージング基板に実装されてＲＦ信号を増幅するべく構成された電力増幅システムを含む。電力増幅システムは電圧供給システムを含む。電圧供給システムは、入力ノードにおいて入力電圧を受けて当該入力電圧以上の出力電圧を発生させるべく制御可能なブースト変換器を含む。電圧供給システムは、入力ノードにおいて入力電圧を受けて当該入力電圧未満の出力電圧を発生させるべく制御可能なチャージポンプを含む。電圧供給システムは、受信した制御信号に基づき出力電圧を出力ノードに発生させるようにブースト変換器又はチャージポンプを制御するべく構成された制御器を含む。無線デバイスは、ＦＥＭと通信するアンテナを含む。アンテナは、増幅されたＲＦ信号を送信するべく構成される。
【００１６】
本開示を要約する目的で本発明の一定の側面、利点及び新規な特徴がここに記載された。理解すべきことだが、かかる利点のすべてが必ずしも、本発明の任意の特定実施形態によって達成できるわけではない。すなわち、本発明は、ここに教示される一の利点又は一群の利点を、ここに教示又は示唆される他の利点を必ずしも達成することなく、達成又は最適化する態様で具体化又は実施をすることができる。
【図面の簡単な説明】
【００１７】
【図１】ここに記載される一以上の特徴を有する電圧供給システムのブロック図を例示する。
【図２】代表的なバックブースト変換器の回路図を例示する。
【図３】代表的な最適化されたブースト変換器の回路図を例示する。
【図４】多重モード電力管理のための電圧供給システムのブロック図を例示する。
【図５】ブースト変換器及びチャージポンプを含む電圧供給システムを例示する。
【図６】複数のスイッチを含む電圧供給システムを例示する。
【図７】供給電圧対当該供給電圧を受けた電力増幅器の出力電力のグラフを例示する。
【図８】電池電流曲線のグラフをＰＡ電力の関数として例示し、さらにはＤＧ０９曲線も例示する。
【図９】電圧供給システムを動作させる方法を表現するフローチャートを例示する。
【図１０】ここに記載される一以上の特徴を有するモジュールを描く。
【図１１】ここに記載される一以上の特徴を有する無線デバイスを描く。
【発明を実施するための形態】
【００１８】
ここに与えられる見出しは、たとえあったとしても、便宜のみのためであって、必ずしも請求項に係る発明の範囲又は意味に影響するわけではない。
【００１９】
図１は、ここに記載される一以上の特徴を有する電圧供給システム１００のブロック図を例示する。電圧供給システム１００は、入力電圧から、例えば電池（Ｖｂａｔｔ）から、一以上の出力電圧、例えば供給電圧（Ｖｃｃ）を発生させることができる。電圧供給システム１００は、入力端子において入力電圧を受け、出力端子において出力電圧を供給する。電圧供給システム１００はさらに、イネーブル信号を受信するイネーブル端子と、入力電圧が出力電圧へと変換される態様を示す基準電圧（Ｖｒｅｆ）を受け又は基準電圧を示す信号を受信する基準端子とを含み得る。特に、入力電圧が相対的に固定される一方、出力電圧は基準電圧に基づき得る。
【００２０】
いくつかのアプリケーションにおいて、図１の電圧供給システム１００は、電力増幅器（ＰＡ）供給電圧を無線デバイスのような携帯電子デバイスに与えるべく利用することができる。理解されることだが、かかる文脈において様々な例が記載されるにもかかわらず、本開示の一以上の特徴はまた、他のアプリケーションにおいても利用可能である。
【００２１】
理想的には、ＰＡ供給電圧は、例えば、大まかには１０ボルト（Ｖ）から１Ｖまでの２０ｄＢ窓にわたる平均出力電力に追従するべきである。ほぼ３．８Ｖの公称電池電圧（Ｖｂａｔｔ）であれば、Ｖｂａｔｔよりも大きな供給電圧を発生させるべく（ブースト変換器が行う）ブースト機能を利用することができ、Ｖｂａｔｔ未満の供給電圧を発生させるべく（バック変換器が行う）バック機能を利用することができる。
【００２２】
いくつかのＰＡアプリケーションにおいて、重要な性能パラメータは、高出力電力（例えば、ほぼ９．５Ｖの供給電圧）におけるシステム電流ドレインである。したがって、ブースト効率は、重要な設計配慮事項である。バックブースト変換器アーキテクチャは典型的に、ブースト効率を約３〜５ポイント劣化させるので、いくつかのＰＡアプリケーションにおいては許容不能とみなされる。
【００２３】
ここに記載されるのは、多重モード電力管理に関連するデバイス及び方法である。ここで、ブースト変換器は高電力範囲を目的として構成かつ利用可能であり、バイパス回路は中間電力範囲を目的として構成かつ利用可能であり、（例えばＶｂａｔｔ／２の出力を含む）チャージポンプは、低電力範囲を目的として構成かつ利用可能である。ここに記載されるように、かかる多重モード電力管理システムは、システムの部品表（ＢＯＭ）におけるわずかなコンポーネント（例えば低電力範囲用のバック変換器における一つのインダクタとは対照的な一つのキャパシタ）で動的範囲の実質的に全体にわたって許容可能な性能を与えることができる。
【００２４】
図２は、代表的なバックブースト変換器２００の回路図を例示する。一般に理解されるように、（例えば制御器２０１によって）制御されるスイッチ２１１〜２１４の動作により、インダクタ２２１及びキャパシタ２３１に関連付けられたエネルギーの蓄積及び移送をもたらすことができる。かかる動作により、入力ノードにおいて受ける入力電圧（Ｖｂａｔｔ）よりも大きな又は当該入力電圧（Ｖｂａｔｔ）未満の出力電圧（Ｖｃｃ）を出力ノードにもたらすことができる。例えば、Ｖｂａｔｔを２．５Ｖ〜４．８Ｖの範囲とし、Ｖｃｃを１．２Ｖ〜１１Ｖの範囲とすることができる。
【００２５】
図２のバックブースト変換器２００において、第１スイッチ２１１は、入力ノード及びインダクタ２２１間に結合され、出力電圧が入力電圧未満となるバック機能を与えるべく使用することができる。しかしながら、第１スイッチ２１１は、今度は、出力電圧が入力電圧よりも大きくなるブースト機能の性能を劣化させる損失を導入し得る。
【００２６】
図３は、代表的な最適化されたブースト変換器３００の回路図を例示する。（例えば制御器３０１によって）制御されるスイッチ３１１〜３１２の動作により、インダクタ３２１及びキャパシタ３３１に関連付けられたエネルギーの蓄積及び移送をもたらすことができる。かかる動作により、入力ノードにおいて受ける入力電圧（Ｖｂａｔｔ）よりも大きな出力電圧（Ｖｃｃ）を出力ノードにもたらすことができる。例えば、Ｖｂａｔｔを２．５Ｖ〜４．８Ｖの範囲とし、Ｖｏｕｔを１０Ｖ近辺とすることができる。最適化されたブースト変換器３００において、出力電圧を所望の値に調節するべく出力から制御器３０１へのフィードバックを実装することができる。
【００２７】
すなわち、図２のバックブースト変換器２００とは異なり、図３の最適化されたブースト変換器３００は、インダクタ３２１及び入力ノード間に結合されたスイッチを含まない。しかしながら、図３の最適化されたブースト変換器３００は典型的に、入力電圧未満の出力電圧をサポートしない。
【００２８】
図３の最適化されたブースト変換器３００は、バイパス機能を与えるべく（例えば制御器によって）制御可能である。スイッチ３１１〜３１２が、ブースト機能を与えるべくインダクタ３２１及びキャパシタ３３１に関連付けられたエネルギーの蓄積及び移送をもたらし得る一方、第１スイッチ３１１を開かつ第２スイッチ３１２を閉にすることにより、出力電圧（Ｖｃｃ）が入力電圧（Ｖｂａｔｔ）にほぼ等しくなるバイパス機能を与えることができる。
【００２９】
図４は、多重モード電力管理のための電圧供給システム４００のブロック図を例示する。電圧供給システムは、入力ノードにおいて入力電圧（Ｖｂａｔｔ）を受けて出力ノードにおいて出力電圧（Ｖｃｃ）を供給する。電圧供給システム４００は、入力電圧よりも大きな出力電圧を発生させるブースト回路４０４と、入力電圧を出力電圧として通過させるバイパス回路４０６と、入力電圧未満の出力電圧を発生させるチャージポンプ回路４０８とを有する供給デバイス４０２（例えばダイ又はモジュール）を含む。
【００３０】
電圧供給システム４００はさらに、供給デバイス４００に関連付けられた様々な機能を容易にすることができる一以上のパッシブデバイス４１０（例えばキャパシタ及び／又はインダクタ）を含む。いくつかの実施形態において、パッシブデバイス（複数可）は、供給デバイスの外部において当該供給デバイスに電気的に接続することができる。一例として、ブースト回路４０４、パッシブデバイス４１０のインダクタ、及びパッシブデバイス４１０のキャパシタは、図３の最適化されたブースト変換器３００のようなブースト変換器を形成し得る。他例として、チャージポンプ回路４０８と、パッシブデバイス４１０の一以上のキャパシタとがチャージポンプを形成し得る。
【００３１】
いくつかの実装において、ブースト回路４０４及びバイパス回路４０６は、同じコンポーネントの少なくともいくつかを含む。特に、以下にさらに記載されるように、ブースト回路及びバイパス回路は双方とも、ブースト機能又はバイパス機能のいずれかを与えるべく構成された２つの同じスイッチを含み得る。
【００３２】
図４の例において（及び本開示全体を通して）、入力電圧は、電池（Ｖｂａｔｔ）によって与えられるように示される。しかしながら、理解されることだが、本開示の一以上の特徴はまた、入力が電池以外のソースに由来するシステムに実装することもできる。
【００３３】
図５は、ブースト変換器及びチャージポンプを含む電圧供給システム５００を例示する。電圧供給システムは、入力ノード５９１において入力電圧（Ｖｂａｔｔ）を受けて出力ノード５９２において出力電圧（Ｖｃｃ）を供給する供給デバイス５０２（例えばダイ又はモジュール）を含む。入力ノードは、入力電圧の変動を回避する第１キャパシタ５３１を介して接地電圧に結合される。出力ノード５９２は、出力電圧の変動を回避しかつブースト変換器のキャパシタを実装する第２キャパシタ５３２を介して接地電圧に結合される。
【００３４】
供給デバイス５０２は、インダクタ５２１を介して入力電圧に結合された２つのスイッチングノード５９３ａ〜５９３ｂを含む。インダクタ５２１は、ブースト変換器のインダクタを実装する。供給デバイス５０２は、チャージポンプのキャパシタを実装する第３キャパシタ５３３を介して一緒に結合された２つのチャージポンプノード５９４ａ〜５９４ｂを含む。
【００３５】
供給デバイス５０２は、入力電圧よりも大きな（ブースト機能）又は入力電圧に等しい（バイパス機能）出力電圧を発生させるべく制御可能なブースト変換器回路５０４を含む。出力電圧は、例えば高電圧（ＨＶ）電力増幅器（ＰＡ）に供給電圧として与えることができる。かかる高電圧ＰＡは、例えばＨＶ平均電力追跡（ＡＰＴ）ＰＡを含み得る。電圧供給システム５００は、ブースト変換器回路５０４、インダクタ５２１及び第２キャパシタ５３２を含むブースト変換器を含み得る。
【００３６】
供給デバイス５０２はさらに、入力電圧未満の出力電圧を発生させるべく制御可能なチャージポンプ回路５０８を含む。チャージポンプ回路５０８は、バイパス回路５１０を介して出力ノード５９２に与えられるように示される低電圧（ＬＶ）出力を発生させるべく構成することができる。
【００３７】
いくつかの実施形態において、チャージポンプ回路５０８は、例えば入力電圧の２倍又は入力電圧の半分となり得る所望の出力を発生させるべく第３キャパシタ５３３（例えばフライングキャパシタンス）とともに動作することができる。チャージポンプとして利用可能な代表的なチャージポンプは、２０１５年２月１５日出願の「交互配置された二重出力チャージポンプ」との名称の米国仮出願第６２／１１６，４５７号、及び２０１５年９月２２日出願の「交互配置された二重出力チャージポンプ」との名称の米国出願第１４／８６１，０５８号に記載されている。それぞれの開示はその全体が、ここに明示的に参照として組み入れられる。
【００３８】
図６は、複数のスイッチ６１１〜６１３を含む電圧供給システム６００を例示する。電圧供給システム６００は、入力電圧（Ｖｂａｔｔ）を受ける入力ノード６９１と出力電圧（Ｖｃｃ）を供給する出力ノード６９２とを含む供給デバイス６０２（例えばダイ又はモジュール）を含む。入力ノード６９１は、入力電圧の変動を回避する第１キャパシタ６３１を介して接地電圧に結合される。出力ノード６９２は、出力電圧の変動を回避しかつブースト変換器のキャパシタを実装する第２キャパシタ６３２を介して接地電圧に結合される。
【００３９】
供給デバイス６０２は、インダクタ６２１を介して入力電圧に結合された２つのスイッチングノード６９３ａ〜６９３ｂを含む。インダクタ６２１は、ブースト変換器のインダクタを実装する。ブースト変換器はさらに、第１スイッチングノード６９３ａ及び接地電圧間に結合された第１スイッチ６１１と、第２スイッチングノード６９３ｂ及び出力ノード６９２間に結合された第２スイッチ６１２とを含む供給デバイス６０２に存在するブースト変換器回路６０４を含む。
【００４０】
第１スイッチ６１１及び第２スイッチ６１２は、入力ノード６９１における入力電圧よりも大きな出力電圧を出力ノード６９２に発生させるようにインダクタ６２１及びキャパシタ６３２に関連付けられたエネルギーを蓄積及び移送するべく（例えば制御器６０１によって）制御可能である。すなわち、制御器６０１は、入力電圧をブーストして出力電圧を出力ノード６９２に発生させるようにスイッチ６１１〜６１２を周期的に動作させるべく構成することができる。
【００４１】
第１スイッチ６１１及び第２スイッチ６１２はまた、出力ノード６９２における出力電圧が入力ノード６９１における入力電圧にほぼ等しくなるように、第１スイッチ６１１を開かつ第２スイッチ６１２を閉にすることによりバイパス機能を与えるべく（例えば制御器６０１によって）制御可能である。すなわち、制御器６０１は、入力電圧を出力電圧として出力ノードへと通過させるようにスイッチ６１１〜６１２を動作させるべく構成することができる。
【００４２】
いくつかの実装において、供給デバイス６０２は、入力電圧を出力電圧として出力ノードへと通過させるべくブースト変換器回路６０４とは別個のバイパス回路（図示せず）を含む。例えば、いくつかの実装において、第１スイッチ６１１及び第２スイッチ６１２は、高いスイッチング損失を代償として（ブースト機能を行っている間に）状態を迅速に変更するように実装することができる。すなわち、供給デバイス６０２は、迅速に状態を変更するわけではないが第２スイッチ６１２よりもスイッチング損失が低い（入力ノード６９１及び出力ノード６９２間に直列に結合された）低速スイッチを含むバイパス回路を含み得る。
【００４３】
供給デバイス６０２は、チャージポンプのキャパシタを実装する第３キャパシタ６３３を介して一緒に結合された２つのチャージポンプノード６９４ａ〜６９４ｂを含む。供給デバイス６０２は、入力電圧未満の出力電圧を発生させるべく（例えば制御器６０１によって）制御可能なチャージポンプ回路６０８を含む。いくつかの実施形態において、チャージポンプ回路６０８は、入力電圧の２倍又は入力電圧の半分となり得る所望の出力を発生させるべく第３キャパシタ６３３（例えばフライングキャパシタンス）とともに動作することができる。チャージポンプ回路６０８の出力は、制御器６０１によって制御可能な第３スイッチ６１３を含むバイパス回路６１０を介して出力ノード６９２に与えることができる。
【００４４】
供給デバイス６０２は、一以上の制御信号を受信する一以上の制御ノード６９５を含み得る。制御ノード６９５は、制御信号を受信かつ処理可能な制御器６０１に結合することができる。すなわち、電圧供給システム６００は、入力電圧を入力ノード６９１において受けて当該入力電圧よりも大きな（ブースト機能）又は当該入力電圧に等しい（バイパス機能）出力電圧を発生させるべく（例えば制御器６０１によって）制御可能なブースト変換器を含む。ブースト変換器は、供給デバイス６０２に存在するブースト制御回路６０４と、供給デバイス６０２の外部にある一以上のパッシブデバイス（例えばインダクタ６２１及び第２キャパシタ６３２）とを含み得る。電圧供給システム６００は、入力電圧を入力ノード６９１において受けて当該入力電圧未満の出力電圧を発生させるべく（例えば制御器６０１によって）制御可能なチャージポンプを含む。チャージポンプは、供給デバイス６０２に存在するチャージポンプ回路６０８と、供給デバイス６０２の外部にある一以上のパッシブデバイス（例えば第３キャパシタ６３３）とを含み得る。電圧供給システム６００は、（例えば制御ノード６９５を介して）制御信号を受信して当該制御信号に基づき出力電圧を出力ノード６９２に発生させるようにブースト変換器又はチャージポンプを制御するべく構成された制御器６０１を含む。
【００４５】
いくつかの実装において、制御信号は動作モードを示す。制御信号は、一定数の態様で動作モードを示すことができる。いくつかの実装において、制御信号は、複数のモードの一つを直接示す。いくつかの実装において、制御信号は、複数のモードの一つに対応する目標出力電力を示す。いくつかの実装において、制御信号は、複数のモードの一つに対応する目標供給電圧を示す。
【００４６】
制御器６０１は、第１モード（例えば低電圧モード、バックモード又は電圧低減モード）を示す制御信号に応答して、入力電圧未満の出力電圧を発生させるようにチャージポンプ（例えばチャージポンプ回路６０８又はチャージポンプ回路６０８の一以上のスイッチ）を制御するべく構成される。いくつかの実装において、制御器６０１は、入力電圧のほぼ半分の出力電圧を発生させるようにチャージポンプを制御するべく構成される。いくつかの実装において、制御信号が第１モードを示す場合、制御器６０１は、（チャージポンプ出力からの）出力電圧を出力ノード６９２へと通過させるようにチャージポンプバイパス回路６１０を制御するべく構成される。例えば、制御器６０１は、第１モードを示す制御信号に応答して第３スイッチ６１３を閉にするべく構成することができる。
【００４７】
制御器６０１は、第２モード（例えば中間電圧モード、バイパスモード又は電圧同等モード）を示す制御信号に応答して、入力電圧に等しい出力電圧を発生させるようにブースト変換器を制御するべく構成される。いくつかの実装において、制御器６０１は、入力電圧を出力電圧として出力ノード６９２へと通過させるようにブースト変換器の一以上のスイッチを動作させるべく構成される。例えば、制御器６０１は、入力電圧を出力電圧として出力ノード６９２へと通過させるように第１スイッチ６１１を開かつ第２スイッチ６１２を閉に動作させるべく構成することができる。
【００４８】
上述のように、いくつかの実装において、供給デバイス６０２は、ブースト変換器回路６０４とは別個のバイパス回路（図示せず）を含む。すなわち、いくつかの実装において、制御器６０１は、第２モードを示す制御信号に応答して、入力電圧を出力電圧として出力ノード６９２へと通過させるようにバイパス回路を制御するべく構成される。
【００４９】
制御器は、第３モード（例えば高電圧モード、ブーストモード又は電圧増加モード）を示す制御信号に応答して、入力電圧よりも大きな出力電圧を発生させるようにブースト変換器を制御するべく構成される。第３モードを示すことに加え、制御信号はさらに、目標出力電圧を示すこともできる。制御器６０１は、入力電圧をブーストして目標出力電圧をもたらすようにブースト変換器を制御することができる。いくつかの実装において、制御器６０１は、入力電圧をブーストして出力電圧を出力ノード６９２に発生させるようにブースト変換器の一以上のスイッチを周期的に動作させるべく構成される。例えば、制御器６０１は、入力電圧をブーストして出力電圧を出力ノード６９２に発生させるように周期的に第１スイッチ６１１及び第２スイッチ６１２を開閉するべく構成することができる。
【００５０】
上述のように、ブースト変換器は、インダクタ６２１と、（例えばインダクタ６２１及び接地電圧間に結合された第１スイッチ６１１、並びにインダクタ６２１及び出力ノード６９２間に結合された第２スイッチ６１２）一以上のスイッチとを含み得る。いくつかの実装において、（図２の変換器２００とは異なり）ブースト変換器は、インダクタ６２１及び入力ノード６９１間に結合されたスイッチを含まない。特に、電圧供給システム６００は、インダクタ６２１及び入力ノード６９１間に結合されたスイッチを含まない。
【００５１】
チャージポンプは、一以上のキャパシタ（例えば第３キャパシタ６３３）を含み得る。チャージポンプはさらに、一以上のスイッチ（例えばチャージポンプ回路６０８のスイッチ）を含み得る。しかしながら、いくつかの実装において、チャージポンプはインダクタを含まない。
【００５２】
表１は、モードを示す制御信号に応答する第１スイッチ６１１（Ｓ１）、第２スイッチ６１２（Ｓ２）及び第３スイッチ６１３（Ｓ３）の状態表を例示する。特に、第１モード（例えば低電圧モード）を示す制御信号に応答して第１スイッチ６１１及び第２スイッチ６１２がオフ（例えば開）にされ、第３スイッチ６１３はオン（例えば閉）にされる。第２モード（例えば中間電圧モード）を示す制御信号に応答して、第１スイッチ６１１及び第３スイッチ６１３がオフにされ、第２スイッチ６１２がオンにされる。第３モード（例えば高電圧モード）を示す制御信号に応答して、第３スイッチ６１３がオフにされ、第１スイッチ６１１及び第２スイッチ６１２はスイッチトモードで動作される。
【表１】
2018011506.tif 000003
【００５３】
図７は、供給電圧対当該供給電圧を受けた電力増幅器の出力電力のグラフを例示する。７３２として示される曲線は、ＰＡ出力電力の範囲を与えるべく利用可能な代表的な理想供給電圧曲線である。７３１として示される曲線は、電圧供給システム、例えば図６の電圧供給システム６００、から取得可能な多重出力電圧の一例である。説明目的のため、入力電圧は、３．８Ｖの電池電圧に実質的に等しいと仮定する。
【００５４】
低電力ＰＡ出力（例えば第１しきい値７４１を下回る目標出力電力）が所望されて制御信号が第１モードを示す場合、低電圧出力（例えばＶｂａｔｔ／２≒１．９Ｖ）を、チャージポンプを利用する電圧供給システム６００によって発生させることができる。中間電力のＰＡ出力（例えば第１しきい値７４１及び第２しきい値７４２間の目標出力電力）が所望されて制御信号が第２モードを示す場合、中間電圧出力（例えばＶｂａｔｔ）を、ブースト変換器をバイパス回路として利用する電圧供給システム６００によって（又は別個のバイパス回路を利用することによって）発生させることができる。高電力のＰＡ出力（例えば第２しきい値７４２を上回る目標出力電圧）が所望されて制御信号が第３モードを示す場合、ブースト変換器を利用する電圧供給システム６００によって高電圧出力を発生させることができる。
【００５５】
図８は、電池電流曲線８０１〜８０３のグラフをＰＡ電力の関数として例示し、さらにはＤＧ０９曲線８１１も例示する。ＤＧ０９曲線８１１は、特定のＰＡ電力における使用の見込みを示す。すなわち、典型的な電池の使用は、引き出される電流の関数であり、ＤＧ０９曲線によって重み付けされ、及びＰＡ電力にわたって統合される。
【００５６】
第１電池電流曲線８０１はブースト／バイパスの組み合わせ（例えば図３の変換器３００を使用）を例示し、電流曲線８０２はブースト／チャージポンプ（２で割る）の組み合わせ（例えば図６の電圧供給システム６００を使用）、及び電流曲線８０３はブースト／バックの組み合わせ（例えば図２の変換器２００を使用）を例示する。注目すべき２８ｄＢｍ条件という定格電力条件において、ここに記載されるブースト／チャージポンプ（２で割る）の組み合わせにより、約２０ｍＡの電流節約がもたらされる一方、約１．７ｍＡのみＤＧ０９が劣化する。
【００５７】
電流曲線８０２が例示するのは、ブースト／チャージポンプの組み合わせが、高ＰＡ電力においては（入力ノード及びインダクタ間に結合されたスイッチからのスイッチング損失がないことに起因して）ブースト／バックの組み合わせよりも優れるということである。電流曲線８０２が例示するのは、ブースト／チャージポンプの組み合わせが、低ＰＡ電力においては（入力電圧を低下させるチャージポンプの使用に起因して）ブースト／バイパスの組み合わせよりも優れるということである。
【００５８】
図９は、電圧供給システムを動作させる方法を表現するフローチャートを例示する。いくつかの実装（及び一例として以下に述べるもの）において、方法９００は、少なくとも部分的には、図６の制御器６０１のような制御器によって実行される。いくつかの実装において、方法９００は、少なくとも部分的には、ハードウェア、ファームウェア、ソフトウェア又はこれらの組み合わせを含む処理ロジックによって実行される。いくつかの実装において、方法９００は、少なくとも部分的には、非一時的コンピュータ可読媒体（例えばメモリ）に記憶されたプロセッサ実行コードによって実行される。
【００５９】
方法９００はブロック９１０において、電圧供給システムの一以上のモードを示す制御信号を制御器が受信することから開始する。電圧供給システムは、決定ブロック９２２（第１モード？）、９２４（第２モード？）又は９２６（第３モード？）の結果に応じて適切に構成され得る。制御信号が第１モードを示す場合、制御器はブロック９３２において、入力電圧未満の出力電圧を発生させるようにチャージポンプを制御することができる。制御器はさらに、出力電圧を出力ノードに結合するようにチャージポンプバイパス回路を制御することができる。制御信号が第２モードを示す場合、制御器はブロック９３４において、入力電圧を出力電圧として出力ノードへと通過させるようにバイパス回路を制御することができる。制御信号が第３モードを示す場合、制御器はブロック９３６において、入力電圧よりも大きい出力電圧を発生させるようにブースト変換器を制御することができる。いくつかの実装において、バイパス回路はブースト制御器の一部である。いくつかの実装において、制御信号は目標出力電圧を示し、かつ、制御信号は、目標出力電圧を発生させるようにブースト変換器を制御する。
【００６０】
ブロック９４０において、制御器９４０は、出力電圧を電力増幅器に供給するべく電圧供給システムを制御することができる。
【００６１】
図１０は、いくつかの実施形態において、ここに記載される一以上の特徴を有する電圧供給システム（例えば図２〜６の構成）のいくつか又はすべてが一モジュールに実装できることを示す。かかるモジュールは、例えばフロントエンドモジュール（ＦＥＭ）とすることができる。図１０の例において、モジュール１０００はパッケージング基板１００２を含み得る。かかるパッケージング基板には一定数のコンポーネントを搭載することができる。例えば、ＦＥ−ＰＭＩＣ（フロントエンド電力管理集積回路）コンポーネント１００４、電力増幅器アセンブリ１００６、整合コンポーネント１００８及びデュプレクサアセンブリ１０１０は、パッケージング基板１００２上に及び／又はパッケージング基板１００２内に搭載及び／又は実装可能である。一定数のＳＭＴデバイス１０１４（例えば図４のパッシブデバイス４１０並びに／又は図５及び６のインダクタ及び／若しくはキャパシタ）及びアンテナスイッチモジュール（ＡＳＭ）１０１２のような他のコンポーネントもまた、パッケージング基板１００２に搭載することができる。様々なコンポーネントのすべてがパッケージング基板１００２上にレイアウトされるように描かれるにもかかわらず、何らかのコンポーネント（複数可）が、他のコンポーネント（複数可）の上に実装できることが理解される。いくつかの実施形態において、ここに記載される一以上の特徴を有する電圧供給システム１００７は、ＦＥ−ＰＭＩＣコンポーネント１００４の一部として実装可能である。
【００６２】
いくつかの実装において、ここに記載される一以上の特徴を有するデバイス及び／又は回路は、無線デバイスのようなＲＦデバイスに含めることができる。かかるデバイス及び／又は回路は、ここに記載されるモジュラー形態で、又はその何らかの組み合わせで無線デバイスに直接実装可能である。いくつかの実施形態において、かかる無線デバイスは、例えば、セルラー電話、スマートフォン、電話機能あり又はなしのハンドヘルド無線デバイス、無線タブレット等を含み得る。
【００６３】
図１１は、ここに記載される一以上の有利な特徴を有する代表的な無線デバイス１１００を描く。ここに記載される一以上の特徴を有するモジュールの文脈において、かかるモジュールは一般に、破線枠１０００によって描くことができ、例えばフロントエンドモジュール（ＦＥＭ）として実装可能である。
【００６４】
図１１を参照すると、電力増幅器（ＰＡ）１１２０は、増幅及び送信対象のＲＦ信号を発生させるべくかつ受信した信号を処理するべく周知の態様で構成かつ動作し得る送受信器１１１０から対応ＲＦ信号を受信することができる。送受信器１１１０は、ユーザに適したデータ及び／又は音声信号と送受信器１１１０に適したＲＦ信号との間の変換を与えるべく構成されたベース帯域サブシステム１１０８と相互作用をするように示される。送受信器１１１０はまた、無線デバイス４００の動作を目的として電力を管理するべく構成された電力管理コンポーネント１１０６と通信することができる。かかる電力管理はまた、ベース帯域サブシステム１１０８及びモジュール１０００の動作を制御することもできる。
【００６５】
ベース帯域サブシステム１１０８は、ユーザに与えられ及びユーザから受けた音声及び／又はデータの様々な入出力を容易にするべく、ユーザインタフェイス１１０２に接続されるように示される。ベース帯域サブシステム１１０８はまた、無線デバイスの動作を容易にする及び／又はユーザのための情報記憶を与えるデータ及び／又は命令を記憶するべく構成されたメモリ１１０４に接続することもできる。
【００６６】
代表的な無線デバイス１１００において、ＰＡ１１２０の出力は、（対応整合回路１１１２を介して）対応デュプレクサ１１２２に整合され及び引き回されるように示される。かかる増幅かつフィルタリングされた信号は、送信を目的としてアンテナスイッチ１１１４を介してアンテナ１１１６へと引き回すことができる。いくつかの実施形態において、デュプレクサ１１２２により、共通アンテナ（例えば１１１６）を使用して送受信動作を同時に行うことができる。図１１において、受信された信号は、例えば低雑音増幅器（ＬＮＡ）を含み得る「Ｒｘ」経路（図示せず）へと引き回されるように示される。
【００６７】
いくつかの実施形態において、ここに記載される電圧供給システム１００７は、モジュール１０００の一部として実装することができる。
【００６８】
一定数の他の無線デバイス構成も、ここに記載される一以上の特徴を利用することができる。例えば、無線デバイスは、多重帯域デバイスである必要はない。他例において、無線デバイスは、ダイバーシティアンテナのような付加アンテナ、並びにＷｉ−Ｆｉ（登録商標）、Ｂｌｕｅｔｏｏｔｈ（登録商標）及びＧＰＳのような付加的な接続機能を含み得る。
【００６９】
本明細書及び特許請求の範囲全体にわたり、文脈上そうでないことが明らかでない限り、「含む」等の用語は、排他的又は網羅的な意味とは反対の包括的意味に、すなわち「〜を含むがこれらに限られない」との意味に解釈すべきである。ここで一般に使用される用語「結合」は、直接接続されるか又は一以上の中間要素を介して接続されるかいずれかとなり得る２以上の要素を言及する。加えて、用語「ここ」、「上」、「下」及び類似の趣旨の用語は、本願において使用される場合、本願全体を言及し、本願の任意の特定部分を言及するわけではない。文脈が許容する場合、単数又は複数を使用する上述の詳細な説明における用語はそれぞれ、複数又は単数をも含み得る。２以上の項目のリストを参照する用語「又は」及び「若しくは」について、当該用語は以下の解釈のすべてをカバーする。すなわち、当該リストの任意の項目、当該リストのすべての項目、及び当該リストの項目の任意の組み合わせである。
【００７０】
本発明の実施形態の上記詳細な説明は、網羅的であること又は本発明を上述の正確な形態に限定することを意図しない。本発明の及びその例の特定の実施形態が例示を目的として上述されたが、当業者が認識するように、本発明の範囲において様々な均等の修正も可能である。例えば、プロセス又はブロックが所与の順序で提示されるが、代替実施形態は、異なる順序でステップを有するルーチンを行うこと又はブロックを有するシステムを用いることができ、いくつかのプロセス又はブロックは削除、移動、追加、細分化、結合、及び／又は修正することができる。これらのプロセス又はブロックはそれぞれが、様々な異なる態様で実装することができる。また、プロセス又はブロックが直列的に行われるように示されることがあるが、これらのプロセス又はブロックは、その代わりに、並列して行い又は異なる時に行うこともできる。
【００７１】
ここに与えられた本発明の教示は、必ずしも上述のシステムに限られることがなく、他のシステムにも適用することができる。上述の様々な実施形態要素及び行為は、さらなる実施形態を与えるべく組み合わせることができる。
【００７２】
本発明のいくつかの実施形態が記載されたが、これらの実施形態は、例のみとして提示されており、本開示の範囲を制限することを意図しない。実際、ここに記載される新規な方法及びシステムは、様々な他の形態で具体化することができる。さらに、ここに記載の方法及びシステムの形態における様々な省略、置換及び変更が、本開示の要旨から逸脱することなくなし得る。添付の特許請求の範囲及びその均等物が、本開示の範囲及び要旨に収まるかかる形態又は修正をカバーすることが意図される。
【図１】
2018011506.tif 000004
【図２】
2018011506.tif 000005
【図３】
2018011506.tif 000006
【図４】
2018011506.tif 000007
【図５】
2018011506.tif 000008
【図６】
2018011506.tif 000009
【図７】
2018011506.tif 000010
【図８】
2018011506.tif 000011
【図９】
2018011506.tif 000012
【図１０】
2018011506.tif 000013
【図１１】
2018011506.tif 000014
【手続補正書】
【提出日】平成29年9月14日(2017.9.14)
【手続補正１】
【補正対象書類名】特許請求の範囲
【補正対象項目名】全文
【補正方法】変更
【補正の内容】
【特許請求の範囲】
【請求項１】
電圧供給システムであって、
入力ノードにおいて入力電圧を受けて前記入力電圧以上の出力電圧を発生させるべく制御可能なブースト変換器と、
前記入力ノードにおいて前記入力電圧を受けて前記入力電圧未満の出力電圧を発生させるべく制御可能なチャージポンプと、
制御信号を受信して前記制御信号に基づき前記出力電圧を出力ノードに発生させるように前記ブースト変換器又は前記チャージポンプを制御するべく構成された制御器と
を含み、
前記ブースト変換器は一つのインダクタ及び一以上のスイッチを含み、
前記インダクタが、前記電圧供給システムの２つの動作モードにおいて共有される電圧供給システム。
【請求項２】
前記制御器は、第１モードを示す前記制御信号に応答して、前記入力電圧未満の前記出力電圧を発生させるように前記チャージポンプを制御するべく構成される請求項１の電圧供給システム。
【請求項３】
前記制御器は、前記第１モードを示す前記制御信号に応答して、前記入力電圧のほぼ半分の前記出力電圧を発生させるように前記チャージポンプを制御するべく構成される請求項２の電圧供給システム。
【請求項４】
前記制御器は、前記第１モードを示す前記制御信号に応答して、前記出力電圧を前記出力ノードへと通過させるようにチャージポンプバイパス回路を制御するべく構成される請求項２の電圧供給システム。
【請求項５】
前記制御器は、第２モードを示す制御信号に応答して、前記入力電圧に等しい前記出力電圧を発生させるように前記ブースト変換器を制御するべく構成される請求項１の電圧供給システム。
【請求項６】
前記制御器は、前記第２モードを示す前記制御信号に応答して、前記入力電圧を前記出力電圧として前記出力ノードへと通過させるように前記ブースト変換器の一以上のスイッチを動作させるべく構成される請求項５の電圧供給システム。
【請求項７】
前記制御器は、第３モードを示す前記制御信号に応答して、前記入力電圧よりも大きな前記出力電圧を発生させるように前記ブースト変換器を制御するべく構成される請求項１の電圧供給システム。
【請求項８】
前記制御器は、前記第３モードを示す前記制御信号に応答して、前記入力電圧をブーストして前記出力電圧を前記出力ノードに発生させるように前記ブースト変換器の一以上のスイッチを周期的に動作させるべく構成される請求項７の電圧供給システム。
【請求項９】
前記一以上のスイッチは、
前記インダクタ及び接地電圧間に結合された第１スイッチと、
前記インダクタ及び前記出力ノード間に結合された第２スイッチと
を含む請求項１の電圧供給システム。
【請求項１０】
前記ブースト変換器は、前記インダクタ及び前記入力ノード間に結合されたスイッチを含まない請求項１の電圧供給システム。
【請求項１１】
前記制御器は、第２モードを示す制御信号に応答して、前記入力電圧を前記出力電圧として前記出力ノードへと通過させるように前記第１スイッチを開かつ前記第２スイッチを閉にするべく構成される請求項９の電圧供給システム。
【請求項１２】
前記制御器は、第３モードを示す前記制御信号に応答して、前記入力電圧をブーストして前記出力電圧を前記出力ノードに発生させるように前記第１スイッチ及び第２スイッチを周期的に開閉するべく構成される請求項９の電圧供給システム。
【請求項１３】
前記チャージポンプは一以上のキャパシタを含む請求項１の電圧供給システム。
【請求項１４】
前記チャージポンプはインダクタを含まない請求項１３の電圧供給システム。
【請求項１５】
前記入力電圧は電池電圧に実質的に等しい請求項１の電圧供給システム。
【請求項１６】
無線周波数（ＲＦ）モジュールであって、
複数のコンポーネントを受容するべく構成されたパッケージング基板と、
前記パッケージング基板に実装された電圧供給システムと
を含み、
前記電圧供給システムは、
入力ノードにおいて入力電圧を受けて前記入力電圧以上の出力電圧を発生させるべく制御可能なブースト変換器と、
前記入力ノードにおいて前記入力電圧を受けて前記入力電圧未満の出力電圧を発生させるべく制御可能なチャージポンプと、
受信された制御信号に基づき前記出力電圧を出力ノードに発生させるように前記ブースト変換器又は前記チャージポンプを制御するべく構成された制御器と
を含み、
前記ブースト変換器は一のインダクタ及び一以上のスイッチを含み、
前記インダクタが、前記電圧供給システムの２つの動作モードにおいて共有されるＲＦモジュール。
【請求項１７】
前記ＲＦモジュールはフロントエンドモジュール（ＦＥＭ）である請求項１６のＲＦモジュール。
【請求項１８】
前記電圧供給システムは、
供給デバイスと、
前記供給デバイスの外部において前記供給デバイスに電気的に接続された一以上のパッシブデバイスと
を含む請求項１６のＲＦモジュール。
【請求項１９】
無線デバイスであって、
無線周波数（ＲＦ）信号を発生させるべく構成された送受信器と、
前記送受信器と通信するフロントエンドモジュール（ＦＥＭ）と、
前記ＦＥＭと通信するアンテナと
を含み、
前記ＦＥＭは、
複数のコンポーネントを受容するべく構成されたパッケージング基板と、
前記パッケージング基板に実装されて前記ＲＦ信号を増幅するべく構成された電力増幅システムと
を含み、
前記電力増幅システムは電圧供給システムを含み、
前記電圧供給システムは、
入力ノードにおいて入力電圧を受けて前記入力電圧以上の出力電圧を発生させるべく制御可能なブースト変換器と、
前記入力ノードにおいて前記入力電圧を受けて前記入力電圧未満の出力電圧を発生させるべく制御可能なチャージポンプと、
受信された制御信号に基づき前記出力電圧を出力ノードに発生させるように前記ブースト変換器又は前記チャージポンプを制御するべく構成された制御器と
を含み、
前記ブースト変換器は一のインダクタ及び一以上のスイッチを含み、
前記インダクタが、前記電圧供給システムの２つの動作モードにおいて共有され、
前記アンテナは、増幅されたＲＦ信号を送信するべく構成される無線デバイス。
【請求項２０】
前記制御器は、第１モードを示す前記制御信号に応答して、前記出力電圧を前記出力ノードへと通過させるようにチャージポンプバイパス回路を制御するべく構成される請求項１９の無線デバイス。
【請求項２１】
前記制御器は、第２モードを示す前記制御信号に応答して、前記出力電圧としての前記入力電圧を前記出力ノードへと通過させるように前記ブースト変換器の一以上のスイッチを動作させるべく構成される請求項１９の無線デバイス。
【外国語明細書】
2018011506000001.pdf